(57)【要約】【課題】今までにない斬新な絞り染め様の絞り柄でも簡単に形成できる画期的な染物の製造方法等を提供すること。【解決手段】生地１に染め工程を施して柄２を形成した後、この柄２に鹿の子絞り若しくは人目絞りを施して絞り柄３を形成することで、従来の鹿の子絞りや人目絞りで形成した絞り染めと同様の輪郭のぼやけた絞り柄３でも、今までに見たことがないようなくっきりとした輪郭と鹿の子絞りや人目絞り特有の色彩及び凹凸感とを備えた斬新且つ高級感の高い絞り柄３でも、形状の制約を受けずに自由に形成して、非常に商品価値の高い絞り染め様の染物をバリエーション豊かに製造するものである。【選択図】        図１
2004149982.tif 000002
【特許請求の範囲】
【請求項１】
柄と絞りとが設けられた染物の製造方法であって、生地に染め工程を施して柄を形成した後、この柄に鹿の子絞り若しくは人目絞りを施して絞り柄を形成することを特徴とする染物の製造方法。
【請求項２】
前記鹿の子絞り若しくは人目絞りを前記柄の輪郭が略前記絞りの輪郭となるように施すことを特徴とする請求項１記載の染物の製造方法。
【請求項３】
請求項１，２のいずれか１項に記載の染物の製造方法により得られた染物で着物を製造することを特徴とする着物の製造方法。
【発明の詳細な説明】
【０００１】
【発明の属する技術分野】
本発明は、全く新しい絞り染め様の染物の製造方法に関するものである。
【０００２】
【従来の技術及び発明が解決しようとする課題】
高級着物である絞り染め着物用の染物として、例えば、本願出願人の先願に係る特開２００１−９８４７６が提案されている。
【０００３】
これら従来の絞り染め着物用の染物は、生地に、糸入れ，本疋田，鹿の子，人目，帽子，縫い絞め等の絞りを施し、続いて、この生地を浸染，桶染，手差し等の染め工程を施すことで、前記絞りによる凹凸感と前記染めによる色彩とが複合された絞り柄（模様）を形成することで製造している（以下、従来の絞り染めという。）。
【０００４】
ところで、この従来の絞り染めは、従来の絞り染めは、浸染や桶染等を染め技法を使用しなければ色彩による模様を形成することができず、よって、柄の形状に制約があり、自由にラインを形成できず、この絞り柄のバリエーションが乏しいという問題点があった。
【０００５】
また、染めた後の絞り柄の輪郭がどのようになるかを想定して絞りを施さねばならず、絞り作業が非常に厄介であるという問題点もある。
【０００６】
本発明は、上記問題点を解決するもので、今までにない斬新な絞り柄でも簡単に形成できる画期的な染物の製造方法等を提供することを目的とする。
【０００７】
【課題を解決するための手段】
添付図面を参照して本発明の要旨を説明する。
【０００８】
柄２と絞りとが設けられた染物の製造方法であって、生地１に染め工程を施して柄２を形成した後、この柄２に鹿の子絞り若しくは人目絞りを施して絞り柄３を形成することを特徴とする染物の製造方法に係るものである。
【０００９】
また、前記鹿の子絞り若しくは人目絞りを前記柄２の輪郭が略前記絞りの輪郭となるように施すことを特徴とする請求項１記載の染物の製造方法に係るものである。
【００１０】
また、請求項１，２のいずれか１項に記載の染物の製造方法により得られた染物で着物を製造することを特徴とする着物の製造方法に係るものである。
【００１１】
【発明の実施の形態】
好適と考える本発明の実施の形態（発明をどのように実施するか）を、図面に基づいてその作用効果を示して説明する。
【００１２】
生地１に絞りを施さずに直接染め工程を施すと、生地１に輪郭のくっきりとした柄２（色柄）でも、従来の絞り染めと同様の輪郭が微妙にぼやけた柄２でも、自由に形成できる。
【００１３】
この柄２に鹿の子絞りや人目絞りを施していくと、従来の絞り染めの染物と同様、絞りによる凹凸感と染めによる色彩とが複合された絞り柄３を形成することができる。
【００１４】
この絞り柄３は、鹿の子絞りや人目絞りを施した際に、凹凸感が付与されたものであるが、例えば、輪郭のくっきりとした柄２を形成した場合、このくっきりとした柄２は、鹿の子絞りや人目絞りによって予め形成されていた柄２の輪郭がぼかされたものではない為、絞りによる凹凸感と染めによる色彩とが複合されたものでありながら、従来の絞り染めで形成される絞り柄とは全く異なり、輪郭のくっきりとした絞り柄３となる。
【００１５】
また、ブリード糊等の使用により輪郭が微妙にぼやけた柄２を形成した場合、従来の絞り染めで形成される絞り柄と同様な雰囲気の絞り柄３となる。
【００１６】
更に、この従来の絞り染めで形成される絞り柄と同様な雰囲気の絞り柄３は、予め染めを工程を施す際に自由に図柄や色調を設定することができ、従来の絞り染めでは形成できなかった絞り柄３を形成することができる。
【００１７】
また、鹿の子絞りや人目絞りを施す際、通常の絞り染めとは異なり、染め上がり後を想定して絞りを施す必要はなく、柄２に沿って絞りを施すことができる為、絞り作業は簡単に行うことができる。
【００１８】
【実施例】
本発明の具体的な実施例について図面に基づいて説明する。
【００１９】
生地１として白生地を採用する。
【００２０】
また、この生地１は、従来の絞り染めで用いられたものよりも硬いしっかりした生地１を採用する。硬いしっかりした生地１の方が、後述の鹿の子絞りや人目絞りの後での立体感（凹凸感）が引き立つ。
【００２１】
また、この生地１は、金糸を織り込んだものを採用しても良い。
【００２２】
この生地１は、先ず、地染工程、例えば、引染を行って生地１を地色に染める。
【００２３】
続いて、生地１に染め工程（絞り染め以外の染め工程を採用する。）を施し、生地１に慶長模様等の柄２（色柄）を形成する。
【００２４】
尚、生地１を地色に染めず、最初から友禅染等の染め工程を施しても良い。
【００２５】
この柄２は、輪郭のくっきりとしたもの、若しくは、輪郭のぼやけたもの（生地１に色抜き作用を有するブリード糊を塗布してから染め工程を施す等により形成できる。）を任意選択して形成する。
【００２６】
染め工程の後処理、例えば、水洗等を行った後、前記柄２の適所に鹿の子絞り及び人目絞りを施して凹凸感のある絞り柄３を形成していく。
【００２７】
この鹿の子絞り及び人目絞りは、単に柄２の輪郭に糸を通して引っ張ったりするものではなく、絞り染めで実施する際と同様に行う。また、図１に図示するように、多数の柄２が存在する場合でも、柄２の一つ一つについて本格的に鹿の子絞り若しくは人目絞りを施して絞り柄３としていく。
【００２８】
尚、従来の絞り染めの場合では、鹿の子絞りは、白場を多く現出させる為に生地の一部を太い糸で回数多く巻回する方法、人目絞りは、主に線を表現する為に細い糸を縫い付ける方法として採用されていた。本実施例は、目的は異なるが、全く同様に糸を使用する。
【００２９】
図１中、符号３ａが鹿の子絞りが施された絞り柄、３ｂが人目絞りが施された絞り柄である。また、この図１は、従来の絞り染めと同様に輪郭が微妙にぼかされた柄２を形成し、その後に鹿の子絞り若しくは人目絞りを施したものを図示したもので、絞り柄３の輪郭はぼかされている。
【００３０】
続いて、絞り柄３に付与された凹凸感を保持する為、生地１に蒸し工程を施す。
【００３１】
続いて、前記鹿の子絞り及び人目絞りに使用した糸等を切りほどく。
【００３２】
続いて、湯のし等の仕上げ工程を行う。
【００３３】
続いて、仕上げられた生地１を仮縫いする寸法に合わせて裁断し、その後、仮縫い等を施して着物とする。
【００３４】
以上の工程により得られた着物は、絞り柄３が絞り特有の色彩と凹凸感とを備えたものであった。
【００３５】
また、輪郭のくっきりした柄２を形成したものは、絞り特有の色彩と凹凸感とを備え、且つ、絞り柄３の輪郭がくっきりとした非常に斬新で見栄えのするものであった。尚、このものは、絞り柄３の輪郭がくっきりとしているせいか、着物の状態では重厚感が薄く感じられた。また、非常に新鮮な感じで、商品価値が高いと思われた。
【００３６】
本実施例は上述のようにするから、従来の鹿の子絞りや人目絞りで行った絞り染めと同様の絞り柄３でも、今までに見たことがないようなくっきりとした輪郭と鹿の子絞りや人目絞り特有の色彩及び凹凸感とを備えた斬新且つ高級感の高い絞り柄３でも自由に形成して非常に商品価値の高い絞り染め様の染物を製造できる画期的な染物の製造方法となる。
【００３７】
また、凹凸感を付与する為の鹿の子絞りや人目絞りは、生地１に形成されている柄２を目印にして行うことができるから、非常に簡単に前記鹿の子絞りや人目絞りを施せる実用性，生産性に秀れた染物の製造方法となる。
【００３８】
また、絞り方法によって絞り柄３の輪郭が制限されたりしないから、従来の絞り染めと異なり、非常に複雑な形状の絞り柄３でも、自由にライン等をデザインして形成できる実用性，汎用性に秀れた染物の製造方法となる。
【００３９】
また、同様の理由から、一部の柄２にだけ絞りを施して一部だけを絞り柄３としたりすることもでき、これにより一部の絞り柄３だけ凹凸感を強調したりすることもでき、この点においても非常に画期的で汎用性に秀れる。
【００４０】
また、生地１は従来よりも硬いしっかりしたものを採用しているから、鹿の子絞りや人目絞り特有の凹凸感が非常に引き立った絞り柄３が得られ、この点において非常に斬新なものが得られる。
【００４１】
尚、生地を染めてから糸を縫い付けて絞り様の模様とする技術（カラ絞りと呼ばれている）は従来にも存在したが、これらは単に糸を縫い付けてシワを寄せる程度のものであった。この点、本実施例は、本格的に鹿の子絞りや人目絞りを施したもので、凹凸感はまさに本物の絞り染めの様であり、それでいて従来の絞り染めよりも斬新且つ様々なバリエーションの絞り柄３が形成された着物を製造することができ、非常に画期的な技術であるといえる。
【００４２】
【発明の効果】
本発明は上述のようにするから、従来の鹿の子絞りや人目絞りで形成した絞り染めと同様の輪郭のぼやけた絞り柄でも、今までに見たことがないようなくっきりとした輪郭と鹿の子絞りや人目絞り特有の色彩及び凹凸感とを備えた斬新且つ高級感の高い絞り柄でも、形状の制約を受けずに自由に形成して、非常に商品価値の高い絞り染め様の染物をバリエーション豊かに製造できる画期的な染物の製造方法となる。
【図面の簡単な説明】
【図１】本実施例の説明図である。
【符号の説明】
１  生地
２  柄
３  絞り柄
【図１】
2004149982.tif 000003